(57)【要約】      （修正有）【課題】加熱調理中における天板及びコンロバーナの温度上昇を抑制できるガスコンロを提供する。【解決手段】コンロバーナ１００と、コンロバーナ１００の上端部を臨ませるバーナ用開口４０が開設された天板４と、少なくとも天板４のバーナ用開口４０の周縁部の下面に添設される放熱板４２とを有するガスコンロにおいて、コンロバーナ１００のバーナ本体を放熱板４２に接触させる。【選択図】図１
2019219157.tif 000002
【特許請求の範囲】
【請求項１】
コンロバーナと、
コンロバーナの上端部を臨ませるバーナ用開口が開設された天板と、
少なくとも天板のバーナ用開口の周縁部の下面に添設される放熱板と、を有するガスコンロにおいて、
コンロバーナは、放熱板に接触するバーナ本体を有するガスコンロ。
【請求項２】
請求項１に記載のガスコンロにおいて、
コンロバーナは、天板のバーナ用開口の周縁部の上面に載置される上外周部を有する上バーナ本体、及び天板のバーナ用開口の下方に配置され、且つ混合管が延設される下バーナ本体を有するバーナ本体と、上バーナ本体の上端部に載置されて多数の炎孔を形成するバーナヘッドと、を備え、
上バーナ本体と下バーナ本体とは、下バーナ本体が放熱板に接触している状態で一体的に連結されるガスコンロ。
【請求項３】
請求項２に記載のガスコンロにおいて、
下バーナ本体は、外方に向かって張り出す環状のフランジ部を有し、
下バーナ本体のフランジ部の上面が、放熱板の下面と面接触するガスコンロ。
【請求項４】
請求項３に記載のガスコンロにおいて、
上バーナ本体は、バーナヘッドが載置される上端部を有する環状筒部と、環状筒部の外周面から外方へ一体的に延設されるバーナリング部と、を有し、
バーナリング部は、天板のバーナ用開口の周縁部の上面に載置されており、
上バーナ本体と下バーナ本体とは、バーナリング部とフランジ部とで、天板及び放熱板を上下から挟み込んだ状態で一体的に連結されるガスコンロ。
【発明の詳細な説明】
【技術分野】
【０００１】
本発明は、天板に開設されたバーナ用開口からコンロバーナが露出するガスコンロに関する。
【背景技術】
【０００２】
一般に、ガスコンロは、上方開放の矩形箱体であるケース体と、ケース体の上方開放部を被覆する天板とを備えており、ケース体内には１つまたは複数のコンロバーナが収容される。この種のガスコンロでは、天板に開設されたバーナ用開口からコンロバーナを構成するバーナ本体の上端部を露出させ、上端部にバーナヘッドを載置することにより、多数の炎孔が形成されている。また、バーナ用開口の周縁部の上面には、鍋やフライパン等の調理容器を支持するための五徳が位置決め状態で設置される。
【０００３】
従来、コンロバーナによる加熱調理中における天板の過熱を防止するために、天板の下面に放熱板が添設されている。例えば、天板のバーナ用開口の周縁部の上面にバーナリングを配置させるとともに、放熱板の下面に取付板を配置させ、バーナリングと取付板とがバーナ用開口の周縁部を上下から挟み込んだ状態で、バーナ用開口内でこれらをネジ止めすることにより、天板の下面に放熱板を添設させたガスコンロが提案されている（特許文献１）。このガスコンロによれば、天板に熱が加えられても、天板の熱は天板のバーナ用開口の周縁部の下面に密着状態で固定されている放熱板を介して放出されるから、過熱に起因する天板の変形や煮こぼれの焦げ付きが抑えられる。
【先行技術文献】
【特許文献】
【０００４】
【特許文献１】特開２０１０−４８５０５号公報
【発明の概要】
【発明が解決しようとする課題】
【０００５】
しかしながら、特許文献１に開示されているガスコンロでは、放熱板で天板の過熱は防止することができるものの、放熱板はバーナ本体とは接触していないから、高温となるバーナ本体の温度上昇は、放熱板によって抑制することができない。そのため、バーナ本体内に浸入した煮こぼれがバーナ本体内で焦げ付きやすい。このようなバーナ本体内での焦げ付きが発生すると、バーナ本体の上端部に形成される炎孔へ通じるガス通路が狭くなったり、閉塞したりするおそれがある。
【０００６】
本発明は、以上の点に鑑みてなされたものであり、加熱調理中における天板の温度上昇を抑制できるとともに、コンロバーナの温度上昇も抑制できるガスコンロを提供することを課題とする。
【課題を解決するための手段】
【０００７】
本発明は、
コンロバーナと、
コンロバーナの上端部を臨ませるバーナ用開口が開設された天板と、
少なくとも天板のバーナ用開口の周縁部の下面に添設される放熱板と、を有するガスコンロにおいて、
コンロバーナは、放熱板に接触するバーナ本体を有するガスコンロである。
【０００８】
上記ガスコンロによれば、少なくとも天板のバーナ用開口の周縁部の下面に添設される放熱板は、コンロバーナを構成するバーナ本体にも接触するから、天板の温度上昇だけでなく、コンロバーナの温度上昇も抑えることができる。
【０００９】
好ましくは、上記ガスコンロにおいて、
コンロバーナは、天板のバーナ用開口の周縁部の上面に載置される上外周部を有する上バーナ本体、及び天板のバーナ用開口の下方に配置され、且つ混合管が延設される下バーナ本体を有するバーナ本体と、上バーナ本体の上端部に載置されて多数の炎孔を形成するバーナヘッドと、を備え、
上バーナ本体と下バーナ本体とは、下バーナ本体が放熱板に接触している状態で一体的に連結される。
【００１０】
上記ガスコンロによれば、コンロバーナのバーナ本体は分割された上バーナ本体と下バーナ本体とを有しており、上バーナ本体の上端部とバーナヘッドとの間に炎孔が形成される。また、天板のバーナ用開口の下方に配置される下バーナ本体は、天板の下面に添設された放熱板に接触した状態で、上バーナ本体と一体的に連結される。従って、加熱調理中に天板に加えられた熱をその下面に添設させた放熱板から放出させることができる。また、上バーナ本体に加えられた熱は上バーナ本体と一体的に連結されている下バーナ本体に熱伝導されるから、下バーナ本体に加えられる熱を放熱板から放出させることができる。
【００１１】
好ましくは、上記ガスコンロにおいて、
下バーナ本体は、外方に向かって張り出す環状のフランジ部を有し、
下バーナ本体のフランジ部の上面が、放熱板の下面と面接触する。
【００１２】
上記ガスコンロによれば、下バーナ本体のフランジ部と放熱板とを面接触させることにより、下バーナ本体と放熱板との接触面積を増大させることができるから、下バーナ本体に加えられる熱を放熱板へ円滑に熱伝導させることができる。
【００１３】
好ましくは、上記ガスコンロにおいて、
上バーナ本体は、バーナヘッドが載置される上端部を有する環状筒部と、環状筒部の外周面から外方へ一体的に延設されるバーナリング部と、を有し、
バーナリング部は、天板のバーナ用開口の周縁部の上面に載置されており、
上バーナ本体と下バーナ本体とは、バーナリング部とフランジ部とで、天板及び放熱板を上下から挟み込んだ状態で一体的に連結される。
【００１４】
上記ガスコンロによれば、上バーナ本体のバーナリング部と下バーナ本体のフランジ部とで天板及び放熱板を上下から挟み込んだ状態で、上バーナ本体と下バーナ本体とが一体的に連結される。従って、上バーナ本体のバーナリング部の下面が天板のバーナ用開口の周縁部の上面に接触し、下バーナ本体のフランジ部の上面が放熱板の下面に面接触した状態で、コンロバーナが天板に固定される。これにより、上バーナ本体からの熱は、天板と下バーナ本体とに熱伝導される。そして、天板に加えられた熱は、天板を介して放熱板の上面に熱伝導され、下バーナ本体に加えられた熱はフランジ部を介して放熱板の下面に熱伝導される。それゆえ、厚い放熱板が用いられる場合でも、放熱板への熱伝導を分離させることができるから、放熱板の特定箇所への熱伝導の集中を回避することができ、放熱板からより円滑に放熱させることができる。
【発明の効果】
【００１５】
以上のように、本発明に係るガスコンロによれば、加熱調理中における天板に加えられた熱は、その下面に添設された放熱板を介して放熱される。また、コンロバーナに加えられた熱は、バーナ本体から放熱板を介して放熱される。これにより、天板の温度だけでなく、コンロバーナの温度も低下させることができるから、天板の変形や煮こぼれの焦げ付きを防止することができる。また、煮こぼれがコンロバーナ内へ浸入した場合でも、コンロバーナ内での焦げ付きの発生を低減することができる。従って、焦げ付きによって炎孔へ通じるガス通路の狭小化や閉塞を防止することができる。それゆえ、安定した加熱効率や燃焼性能が得られるだけでなく、優れた清掃性も有するガスコンロを提供することができる。
【図面の簡単な説明】
【００１６】
【図１】本発明の実施の形態に係るガスコンロの要部拡大断面図である。
【図２】本発明の実施の形態に係るガスコンロのコンロバーナの分解斜視図である。
【図３】本発明の実施の形態に係るガスコンロの天板に固定された状態における上バーナ本体及び下バーナ本体と、五徳とを示す説明図である。
【図４】本発明の実施の形態に係るガスコンロの天板に固定された状態における上バーナ本体及び下バーナ本体と、五徳とを示す要部拡大断面図である。
【発明を実施するための形態】
【００１７】
以下、添付図面を参照しながら、本発明の実施の形態に係るガスコンロを説明する。
【００１８】
ガスコンロは、点火プラグ(31)や炎検知器(32)等とともに、コンロバーナ(100)を収容する上方開放の矩形箱体であるケース体（図示せず）と、ケース体の上方開放部を被覆する天板(4)とを備える。天板(4)には、コンロバーナ(100)の上端部を露出させるためのバーナ用開口(40)と、後方に排気口（図示せず）とが開設されている。
【００１９】
図１及び図２に示すように、コンロバーナ(100)は、バーナヘッド(3)と、上端部にバーナヘッド(3)が載置される上バーナ本体(1)と、燃料ガスと一次空気とが混合されるベンチュリ管状の混合管(24)が略水平に延設された下バーナ本体(2)とを有し、上バーナ本体(1)及び下バーナ本体(2)によりバーナ本体(A)が形成される。バーナヘッド(3)の外周壁下端部に設けられた多数の歯形部(33)と、上バーナ本体(1)の環状筒部(11)の上端部との間には、多数の炎孔(30)が外側斜め上方に向くように、周方向に形成される。
【００２０】
バーナヘッド(3)の上面には、環状のバーナキャップ(44)が載置される。バーナキャップ(44)の中央孔(44a)からは、鍋底温度センサ(41)が上方に突出している。これら上バーナ本体(1)、下バーナ本体(2)、バーナヘッド(3)、及びバーナキャップ(44)は、例えば、高い熱伝導性を有するアルミダイキャスト製の部材からなる。
【００２１】
なお、ケース体内の所定位置には、固定台（図示せず）が設置されており、固定台には、下バーナ本体(2)の底部にネジ止め等により接続させたバーナ支持板(29)が架設されている。これにより、コンロバーナ(100)は、ケース体内の所定箇所に位置決めされた状態で収容される。
【００２２】
下バーナ本体(2)は、天板(4)のバーナ用開口(40)の周縁部の下方に配設されるフランジ部(21)が外方に向かって張り出す外筒(22)と、バーナヘッド(3)の中央孔(3a)に続く内筒(23)とを備える。点火プラグ(31)及び炎検知器(32)は、フランジ部(21)を下方から貫通して周方向に並設されている（図３参照）。このため、外筒(22)からバーナ用開口(40)の周縁部に至るまでのフランジ部(21)の幅は、点火プラグ(31)及び炎検知器(32)が設置される側で広く、点火プラグ(31)及び炎検知器(32)が設置されない側で狭くなっている。従って、外筒(22)は、バーナ用開口(40)及びこれと略同心に位置する内筒(23)に対して、偏心して位置する。
【００２３】
フランジ部(21)と略同一高さに位置する外筒(22)の内周面には、３つの下突出片部(20a)(20b)(20c)が周方向に等間隔で、内方に向かって略水平に突設されている。各下突出片部(20a)(20b)(20c)は、外筒(22)の内周面から内筒(23)の外周面までの距離に関わらず、突出端が内筒(23)に到達する突出長さを有する。各下突出片部(20a)(20b)(20c)の突出端近傍には、ネジ孔(28)が穿設されている。
【００２４】
上バーナ本体(1)は、バーナヘッド(3)の歯形部(33)が載置される上端部を有する環状筒部(11)と、環状筒部(11)の外周面から外方へ一体的に延設されている環状のバーナリング部(12)とを備える。上バーナ本体(1)は、バーナリング部(12)の下面が天板(4)のバーナ用開口(40)の周縁部の上面に当接するように、天板(4)上に載置される。
【００２５】
バーナリング部(12)のバーナ用開口(40)よりも内周側の下面には、バーナリング部(12)が天板(4)のバーナ用開口(40)の周縁部の上面に載置されたときに、下バーナ本体(2)の外筒(22)の上方開放端部を嵌め込み可能な下方開放の環状溝(12a)が形成されている。また、点火プラグ(31)及び炎検知器(32)に対応するバーナリング部(12)の各位置には、これらを挿通させるための透孔(13a)(13b)が穿設されている。さらに、バーナリング部(12)の外周縁の対向する位置には、一対の切欠(14a)(14b)が形成されている。
【００２６】
環状筒部(11)の内周面下端部には、３つの上突出片部(10a)(10b)(10c)が周方向に等間隔で、内方に向かって略水平に突設されている。各上突出片部(10a)(10b)(10c)は、透孔(13a)(13b)に点火プラグ(31)及び炎検知器(32)がそれぞれ挿通され、下バーナ本体(2)の外筒(22)の上方開放端部が環状溝(12a)に嵌め込まれた状態で、上バーナ本体(1)のバーナリング部(12)を天板(4)の上面に載置させたときに、下突出片部(20a)(20b)(20c)に対応する位置に設けられている。各上突出片部(10a)(10b)(10c)の先端には、先端に向かって開放する略Ｕ字状の切欠(18)が形成されている。
【００２７】
天板(4)は、例えば、ガラス製のものが用いられる。天板(4)の下面のうち、バーナ用開口(42)及び後方の排気口の形成域に対応する領域を除いた略全域には、高い熱伝導性を有するアルミ製のヒートオフ材からなる放熱板(42)が添設されている。放熱板(42)には、バーナ用開口(40)が対応する位置に、バーナ用開口(42)と略同一径の開口(43)が開設されている。
【００２８】
次に、本実施の形態におけるコンロバーナ(100)の天板(4)への組み付けについて説明する。
まず、下バーナ本体(2)を接続させたバーナ支持板(29)を、ケース体内に固定されている固定台に架設させてネジ止めする。これにより、点火プラグ(31)及び炎検知器(32)を一体的に具備させた下バーナ本体(2)が、ケース体内の所定箇所に位置決め状態で固定される。
【００２９】
次いで、上記ケース体の上方開放部を、放熱板(42)が下面に添設された天板(4)で被覆する。なお、ケース体の上方開放部が天板(4)で被覆されたとき、バーナ用開口(40)の周縁部の下方に下バーナ本体(2)におけるフランジ部(21)が配設され、且つバーナ用開口(40)内で下バーナ本体(2)の内筒(23)がバーナ用開口(40)と略同心に位置し、後述する最終締付状態においてフランジ部(21)が放熱板(42)の開口(43)の周縁部の下面に面接触するように、ケース体内における下バーナ本体(2)の設置位置、フランジ部(21)の大きさ、及び天板(4)におけるバーナ用開口(40)の開設位置が設定されている。
【００３０】
次いで、バーナ用開口(40)内にバーナ用開口(40)と略同心状に内筒(23)が露出している状態で、上バーナ本体(1)と下バーナ本体(2)とを連結させる。バーナ用開口(40)内には、ケース体内から内筒(23)とともに、点火プラグ(31)や炎検知器(32)が上方に突出しているため、点火プラグ(31)及び炎検知器(32)に上バーナ本体(1)に設けられている透孔(13a)(13b)が対応するように、上バーナ本体(1)を下バーナ本体(2)上に配置させる。このとき、上バーナ本体(1)のバーナリング部(12)が天板(4)のバーナ用開口(40)の周縁部の上面に当接し、下バーナ本体(2)の外筒(22)の上方開放端部が上バーナ本体(1)の下面に開放している環状溝(12a)に嵌まり込むと、下バーナ本体(2)の下突出片部(20a)(20b)(20c)のネジ孔(28)上に上バーナ本体(1)の上突出片部(10a)(10b)(10c)の切欠(18)が位置する。
【００３１】
上記のようにして上バーナ本体(1)が設置されると、上突出片部(10a)(10b)(10c)の各切欠(18)に、上方から固定ネジ(15)を挿通させるとともに、さらにその下方の下突出片部(20a)(20b)(20c)のネジ孔(28)に固定ネジ(15)を螺合させていく。すると、固定ネジ(15)がネジ孔(28)へ螺合されていくに従って、固定台に架設させたバーナ支持板(29)が上方へ撓み、それに伴って下バーナ本体(2)が上昇するため、上バーナ本体(1)に対して下バーナ本体(2)が近接していく。そして、固定ネジ(15)の最終締付状態では、上バーナ本体(1)のバーナリング部(12)と下バーナ本体(2)のフランジ部(21)とによって、天板(4)のバーナ用開口(40)の周縁部は、放熱板(42)とともに、上下から挟み込まれた状態となる。また、上バーナ本体(1)と下バーナ本体(2)とは、密着状態で一体的に連結される。これにより、コンロバーナ(100)が、天板(4)のバーナ用開口(40)の周縁部に回り止め状態に固定される。
【００３２】
従って、本実施の形態では、天板(4)のバーナ用開口(40)の周縁部の上面に配置される上バーナ本体(1)におけるバーナリング部(12)の外周部が上外周部を形成し、放熱板(42)を介して天板(4)のバーナ用開口(40)の周縁部の下方に配置される下バーナ本体(2)におけるフランジ部(21)の外周部が下外周部を形成する。
【００３３】
上記のようにしてコンロバーナ(100)が天板(4)に固定されると、上バーナ本体(1)の環状筒部(11)の上端部に、バーナヘッド(3)の歯形部(33)を載置し、バーナヘッド(3)の上端にバーナキャップ(44)をセットする。
【００３４】
また、天板(4)上に設置された上バーナ本体(1)のバーナリング部(12)を囲むように、五徳(5)を載置させる。図３に示すように、五徳(5)は、上バーナ本体(1)のバーナリング部(12)の周囲に載置される円形の五徳枠(51)と、これに取り付けられている複数の五徳爪(50)とを有する。五徳爪(50)のうち、相互に対向する位置にある一対の五徳爪(50a)(50b)の下端部内側には、五徳枠(51)よりも内方へ突出する突出部(52a)(52b)が設けられている。従って、突出部(52a)(52b)をバーナリング部(12)の外周縁に設けた一対の切欠(14a)(14b)に各々係止させることにより、五徳(5)はバーナリング部(12)に対して回り止め状態で天板(4)上に設置される。
【００３５】
本発明の実施の形態に係るガスコンロによれば、コンロバーナ(100)のバーナ本体（A）は、上バーナ本体(1)と下バーナ本体(2)の分割された２部品からなる。また、上バーナ本体(1)の環状筒部(11)から内方に突設させた上突出片部(10a)(10b)(10c)の切欠(18)に挿通させた固定ネジ(15)を、下バーナ本体(2)の外筒(22)から内方に突設させた下突出片部(20a)(20b)(20c)のネジ孔(28)に螺合させることにより、天板(4)のバーナ用開口(40)の周縁部及び放熱板(42)の開口(43)の周縁部が上バーナ本体(1)のバーナリング部(12)と下バーナ本体(2)のフランジ部(21)とで上下から挟み込まれた状態で、上バーナ本体(1)と下バーナ本体(2)とが一体的にネジ締結される。従って、本実施の形態のガスコンロでは、上バーナ本体(1)と下バーナ本体(2)とを密着状態で一体的に連結させたとき、上バーナ本体(1)のバーナリング部(12)が天板(4)の上面に接触し、天板(4)の下面は放熱板(42)の上面に面接触し、下バーナ本体(2)のフランジ部(21)の上面は放熱板(42)の下面に面接触する組み付け態様が形成される。
【００３６】
一方、図４に示すように、五徳(5)の五徳爪(50)に鍋等の調理容器(45)を載置してコンロバーナ(100)を点火させると、炎孔(30)から噴き出す火炎で、調理容器(45)の底(45a)が加熱されるとともに、上バーナ本体(1)や五徳(5)、さらに天板(4)が加熱される。
【００３７】
上バーナ本体(1)のバーナリング部(12)及び五徳(5)は天板(4)の上面に直接、載置されているが、天板(4)の下面には放熱板(42)が添設されているから、バーナリング部(12)及び五徳(5)からの熱は天板(4)に熱伝導され、天板(4)に加えられた熱は、天板(4)を介して放熱板(42)から放熱板(42)の上面に熱伝導されて、ケース体内に放出される。
【００３８】
また、上バーナ本体(1)に加えられた熱は、上バーナ本体(1)と一体的に連結される下バーナ本体(2)に熱伝導され、下バーナ本体(2)に加えられた熱はフランジ部(21)を介して放熱板(42)の下面に熱伝導されて、ケース体内に放出される。
【００３９】
従って、本実施の形態のガスコンロによれば、天板(4)の下面に放熱板(42)を添設させるとともに、この放熱板(42)にバーナ本体(A)を構成する下バーナ本体(2)のフランジ部(21)を直に面接触させているから、天板(4)の熱だけでなく、コンロバーナ(100)の熱も放熱板(42)に円滑に熱伝導され、放熱板(42)を介して放出させることができる。よって、天板(4)の温度上昇だけでなく、コンロバーナ(100)の温度上昇も抑えることができる。これにより、天板(4)の変形や煮こぼれの焦げ付きを防止することができる。また、煮こぼれがコンロバーナ(100)内へ浸入した場合でも、コンロバーナ(100)内での焦げ付きの発生を抑えることができる。これにより、炎孔(30)へ通じるガス通路が焦げ付きの付着によって狭くなったり、閉塞したりする不都合を防止することができるだけでなく、清掃性も向上する。
【００４０】
特に、本実施の形態のガスコンロによれば、下バーナ本体(2)のフランジ部(21)の上面と放熱板(42)の下面とを面接触させているから、下バーナ本体(2)から放熱板(42)へ熱をより円滑に熱伝導させることができる。
【００４１】
また、天板(4)に加えられた熱は天板(4)を介して放熱板(42)の上面に熱伝導され、下バーナ本体(2)に加えられた熱はフランジ部(21)を介して放熱板(42)の下面に熱伝導されるから、厚い放熱板(42)が用いられる場合でも、放熱板(42)への熱伝導を分離させることができる。従って、放熱板(42)の特定箇所への熱伝導の集中を回避することができ、放熱板(42)からより円滑に放熱させることができる。
【符号の説明】
【００４２】
(100) ・・・・・・・・コンロバーナ
(A) ・・・・・・・・・バーナ本体
(1) ・・・・・・・・・上バーナ本体
(2) ・・・・・・・・・下バーナ本体
(24)・・・・・・・・・混合管
(3) ・・・・・・・・・バーナヘッド
(30)・・・・・・・・・炎孔
(4) ・・・・・・・・・天板
(40)・・・・・・・・・バーナ用開口
(42)・・・・・・・・・放熱板
【図１】
2019219157.tif 000003
【図２】
2019219157.tif 000004
【図３】
2019219157.tif 000005
【図４】
2019219157.tif 000006